(57)【特許請求の範囲】
【請求項１】
植物の主茎から分岐して先端側が下方に向くように湾曲する結果枝の折れを防止するために、結果枝に装着して用いられる支持具であって、
弾性合成樹脂で一体成形され、装着時に結果枝の基端側の所定長さ部分を溝部内に側面から受け入れることができる樋状の抱持部と、装着時に結果枝の基端の下部に位置する主茎の側面に沿って下方へ延びる支持部とを具備し、
前記抱持部は、結果枝の湾曲の外側に沿って湾曲して延びる湾曲板部と、この湾曲板部の延長方向に沿う一側縁からそれぞれ延出して一側縁に沿って並ぶことにより湾曲板部と共に湾曲した樋状をなす複数の抱持片とを具備し、
前記抱持片は、前記湾曲板部の一側縁から延出する溝底片部と、この溝底片部の先端部から屈曲して湾曲板部に対向する対向片部とを具備し、湾曲板部が所定の曲率に湾曲したとき互いに隣接辺を当接させてそれ以上の屈曲を止めるように構成され、
前記支持部は、前記抱持部の一端側に位置する一の前記抱持片の対向片部に連続し、主茎の側面に当接するように、前記湾曲板部と同曲率で延出することを特徴とする植物の結果枝補強具。
【請求項２】
前記支持部は、前記抱持部の一端側に位置する一の前記抱持片の対向片部に連続する接続板部と、この接続板部の側縁から延出する連結部と、この連結部から相互間隔を置いて延出する複数の当接板部とを具備し、
前記複数の当接板部は、前記抱持片の対向片部の列に連続する湾曲した列をなすように並び、当該列が所定の曲率に湾曲したとき互いに隣接辺を当接させてそれ以上の屈曲を止めるように構成されることを特徴とする請求項１に記載の植物の結果枝補強具。
【請求項３】
前記湾曲板部の前記対向片部に対向する内側面の外縁部には、湾曲板部の延長方向に相互間隔を置いて複数の突起が形成され、
少なくとも一つの前記対向片部の前記湾曲板部に対向する内側面の外縁部には、湾曲板部の突起と協働して抱持部に受け入れた結果枝の脱落を妨げる突起が形成されることを特徴とする請求項１または２に記載の植物の結果枝補強具。
【発明の詳細な説明】
【技術分野】
【０００１】
本発明は、トマト、ナス、キュウリなどの植物の、主茎から分岐して実を付ける結果枝が、強風や果実の荷重などによりの折れるのを防ぐために、当該分岐部に装着される補強具に関する。
【背景技術】
【０００２】
従来、茎折れを防ぐ植物用補強具として、特許文献１に記載されたものが知られている。この植物用補強具は、縦断面が一側を開口した略Ｕ形からなるとともに、茎の対応部を開口から内部に挿入可能な本体と、本体の一側の開口を閉鎖するカバーと、本体及びカバーとの間に設けられて本体に対するカバーの閉鎖状態を保つ係合手段とを備えている。
【先行技術文献】
【特許文献】
【０００３】
【特許文献１】特開２０１１−１６０６７５号公報
【発明の概要】
【発明が解決しようとする課題】
【０００４】
上記従来の植物用補強具は、枝の曲げ荷重に対する補強として働くが、枝を茎に対して支えることができない。このため、結果枝が、その分岐する基部において茎から裂けて折れる現象に対応することができない。
本発明は、枝の曲げ荷重に対する補強として働くと共に、枝の分岐部から裂け折れの防止にも寄与する補強具を提供することを目的としている。
【課題を解決するための手段】
【０００５】
以下、添付図面の符号を参照して説明するが、本発明はこれに限定されるものではない。
上記課題を解決するための、本発明の補強具１は、溝部３を有する樋状の抱持部２と、これに連続する支持部４とを具備し、弾性合成樹脂で一体成形される。抱持部２は、湾曲板部５と複数の抱持片６とにより樋状に形成され、植物への装着時に結果枝Ｂの基端側の所定長さ部分を溝部３内に側面から受け入れる。湾曲板部５は、結果枝Ｂの湾曲の外側に沿って湾曲して延びる。抱持片２は、溝底片部７と対向片部８とを具備し、湾曲板部５の延長方向に沿う一側縁に沿って並び、湾曲板部５と共に湾曲した樋状をなす。溝底片部７は、湾曲板部５の一側縁から延出する。対向片部８は、溝底片部７の先端部から屈曲して湾曲板部５に対向する。抱持片６は、湾曲板部５が所定の曲率に湾曲したとき互いに隣接辺を当接させてそれ以上の屈曲を止めるように構成される。支持部４は、抱持部２の一端側に位置する一の抱持片６の対向片部８に連続し、主茎Ｓの側面に当接するように、湾曲板部５と同曲率で延出する。
【発明の効果】
【０００６】
本発明は、枝の曲げ荷重に対する補強として働くと共に、枝の分岐部から裂け折れの防止にも寄与する補強具を提供することができる。
【図面の簡単な説明】
【０００７】
【図１】本発明に係る補強具の正面図である。
【図２】図１の補強具の背面図である。
【図３】図１の補強具のIII−III切断端面図である。
【図４】図１の補強具のIV−IV切断端面図である。
【図５】図１の補強具の斜視図である。
【図６】図１の補強具の使用状態の正面図である。
【発明を実施するための形態】
【０００８】
図面を参照して本発明の実施の形態を説明する。
補強具１は、図６に示すように、植物の主茎Ｓから分岐して先端側が下方に向くように湾曲する結果枝Ｂの折れを防止するために、結果枝Ｂに装着して用いられるもので、溝部３を有する樋状の抱持部２と、これに連続する支持部４とを具備し、弾性合成樹脂で一体成形される。
【０００９】
抱持部２は、湾曲板部５と複数の抱持片６とにより樋状に形成され、図６に示す植物への装着時に、結果枝Ｂの基端側の所定長さ部分を溝部３内に側面から受け入れる。
【００１０】
湾曲板部５は、図６に示すように、植物への装着時に、結果枝Ｂの湾曲の外側に沿うように湾曲して延びる。図１ないし図５に示すように、抱持片６は、溝底片部７と対向片部８とを具備し、湾曲板部５の延長方向に沿う一側縁に沿って並ぶ。
【００１１】
溝底片部７は、湾曲板部５の一側縁から延出する。対向片部８は、溝底片部７の先端部から屈曲して湾曲板部５に対向する。抱持片６は、湾曲板部５が所定の曲率に湾曲したとき、互いに隣接辺を当接させてそれ以上の屈曲を止めるように構成される。
【００１２】
湾曲板部５の対向片部８に対向する内側面の外縁部には、湾曲板部５の延長方向に相互間隔を置いて複数の突起９が形成される。また、２つの対向片部８の内側面の外縁部には、突起１０が形成される。突起１０は、湾曲板部５の突起９と協働して抱持部２に受け入れた結果枝Ｂの脱落を妨げる。
【００１３】
支持部４は、抱持部２の一端側に位置する一の抱持片６の対向片部８に連続し、主茎Ｓの側面に当接するように、湾曲板部５と同曲率で延出する。
【００１４】
支持部４は、抱持部の一端側に位置する一の抱持片６の対向片部８に連続する接続板部１１と、この接続板部１１の側縁から延出する連結部１２と、この連結部１２から相互間隔を置いて延出する複数の当接板部１３とを具備する。
【００１５】
複数の当接板部１３は、抱持片３の対向片部８の列に連続する湾曲した列をなすように並び、当該列が所定の曲率に湾曲したとき互いに隣接辺を当接させてそれ以上の屈曲を止めるように構成される。
【００１６】
補強具１は、図６に示すように、抱持部２の溝３内に結果枝Ｂを受け入れ、湾曲板部５を結果枝Ｂの湾曲の外側面に沿わせる。支持部４は、主茎Ｓにおける結果枝Ｂの基端の下部側面に沿わせる。生長した果実の重みで結果枝Ｂが湾曲を増したり、風を受けて撓んだりするとき、これにしたがって、湾曲板部５が所定の曲率まで柔軟に湾曲する。結果枝Ｂの湾曲が所定の曲率に達すると、抱持片６の隣接辺同士が当接して一体化することで、結果枝Ｂのそれ以上の撓みを止め、結果枝Ｂの折損を防止する。主茎Ｓの側面に沿う支持部４は、結果枝Ｂの荷重を受けた抱持片６を主茎Ｓに支持することにより、結果枝Ｂの分岐部から裂け折れを防止する。
【符号の説明】
【００１７】
１    補強具
２    抱持部
３    溝
４    支持部
５    湾曲板部
６    抱持片
７    溝底片部
８    対向片部
９    突起
１０  突起
１１  接続板部
１２  連結板部
１３  当接板部
Ｓ    主茎
Ｂ    結果枝
【図１】
0005859068.tif 000002
【図２】
0005859068.tif 000003
【図３】
0005859068.tif 000004
【図４】
0005859068.tif 000005
【図５】
0005859068.tif 000006
【図６】
0005859068.tif 000007